(57)【要約】【課題】故障したユニットを抜くことで、ユニット間でやり取りしている信号がなくなり故障していないユニットで行う処理に問題が発生する可能性がある。【解決手段】動作プロテクトスイッチ８によりユニット６，９の信号ラッチ部１０にプロテクト信号を接続して、ユニット６，９の交換中は不揮発性メモリ２への制御・調整データの書込みを禁止する。着脱可能な不揮発性メモリ１３は、交換中のユニットの制御・調整データを保持して交換したユニットに再設定を行うことで交換前と同じデータと処理にして再動作することで回線に与える影響を少なくする。着脱可能なためコントロールユニットの交換時にもデータを引き継ぐことができる。【選択図】図３
2010130420.tif 000002
【特許請求の範囲】
【請求項１】
交換可能なユニットで構成される無線通信装置において、
無線信号の送受信制御を実行する送受信ユニットを制御する制御ユニットを交換するときは、前記各送受信ユニットは現状の設定および調整を維持して通信を行なうことを特徴とする無線通信装置。
【請求項２】
前記送受信ユニットは、制御データおよび調整データを保存する不揮発性メモリと、前記制御ユニットが交換中であることを示す信号を保持する信号ラッチ部を備え、前記制御ユニットを交換中は、前記不揮発性メモリへの書込みが禁止されることを特徴とする請求項１に記載の無線通信装置。
【請求項３】
前記制御ユニットは、外部装置と前記送受信ユニットの間にあってデジタル信号を処理する信号処理ユニットと、前記送受信ユニットおよび前記信号処理ユニットへの設定制御および運用状態を監視するコントロールユニットとで構成され、
制御データおよび調整データを保存する不揮発性メモリと、前記コントロールユニットが交換中であることを示す信号を保持する信号ラッチ部を備え、前記コントロールユニットを交換中は、前記不揮発性メモリへの書込みが禁止されることを特徴とする請求項１〜２に記載の無線通信装置。
【請求項４】
前記コントロールユニットは動作プロテクトスイッチを備え、前記信号処理ユニットまたは該コントロールユニットを交換するときは、前記動作プロテクトスイッチをOFFからONに切り替えることにより前記信号ラッチ部をONにセットすることを特徴とする請求項３に記載の無線通信装置。
【請求項５】
前記コントロールユニットは前記送受信ユニットおよび前記信号処理ユニットから収集した制御データおよび調整データを格納しておき、必要に応じて前記不揮発性メモリへ書き込むための着脱可能な不揮発性メモリを備えたことを特徴とする請求項４に記載の無線通信装置。
【請求項６】
交換可能なユニットで構成される無線通信装置において、
不揮発性メモリに保存した制御データおよび調整データにより無線信号の送受信制御を実行する少なくとも１つの送受信ユニットと、
外部装置と前記送受信ユニットの間にあって不揮発性メモリに保存した制御データおよび調整データによりデジタル信号を処理する信号処理ユニットと、
動作プロテクトスイッチを備え前記送受信ユニットおよび前記信号処理ユニットへの設定制御および運用状態を監視するコントロールユニットを有し、
前記送受信ユニットは前記信号処理ユニットまたは前記コントロールユニットを、前記信号処理ユニットは前記コントロールユニットを、それぞれ交換するときは前記動作プロテクトスイッチの操作により交換中であることを示す信号が信号ラッチ部に設定されて前記不揮発性メモリへの書込みが禁止されることを特徴とする無線通信装置。
【請求項７】
前記不揮発性メモリおよび前記着脱可能な不揮発性メモリの保存内容を一括管理する着脱可能な不揮発性メモリを前記ユニットの外に設けたことを特徴とする請求項５〜６に記載の無線通信装置。
【請求項８】
請求項６に記載の無線通信装置におけるユニット交換方法であって、
前記信号処理ユニットを交換するときは、
前記動作プロテクトスイッチをONにして前記送受信ユニットの前記信号ラッチ部にON状態であることを保持する手順と、
前記信号ラッチ部がON状態であるときは前記信号処理ユニットの不揮発性メモリへの書込みが禁止される手順と、
前記不揮発性メモリが保存している前記制御データおよび調整データを前記着脱可能な不揮発性メモリに保存する手順と、
前記信号処理ユニットの交換後に前記着脱可能な不揮発性メモリに保存している前記制御データおよび調整データを該信号処理ユニットの不揮発性メモリに書き込む手順と、
前記動作プロテクトスイッチをOFFにして前記送受信ユニットの前記信号ラッチ部にOFF状態であることを保持する手順を有することを特徴とするユニット交換方法。
【請求項９】
請求項６に記載の無線通信装置におけるユニット交換方法であって、
前記コントロールユニットを交換するときは、
前記動作プロテクトスイッチをONにして前記信号ラッチ部にON状態であることを保持する手順と、
前記信号ラッチ部がON状態であるときは前記不揮発性メモリへの書込みが禁止される手順と、
前記不揮発性メモリが保存している前記制御データおよび調整データを前記着脱可能な不揮発性メモリに保存する手順と、
前記コントロールユニットの交換後に前記着脱可能な不揮発性メモリに保存している前記制御データおよび調整データを前記不揮発性メモリに書き込む手順と、
前記動作プロテクトスイッチをOFFにして前記信号ラッチ部にOFF状態であることを保持する手順を有することを特徴とするユニット交換方法。
【発明の詳細な説明】
【技術分野】
【０００１】
本発明はユニット構成の無線通信装置およびユニット交換方法に関する。
【背景技術】
【０００２】
この種の従来技術として、送信ユニット、送信アンプユニット、受信ユニット（以下、これらを単に「ユニット」と記す）およびコントローラユニットを有する無線通信機において、各ユニットにＲＯＭを備えて出荷時の調整データを記憶すると共に、各ユニットを制御するコントローラユニットにもＲＯＭを設けてこれらの調整データを重複して記憶しておき、ユニットの交換時には、コントローラユニットのＲＯＭから当該調整データを読み出して交換されたユニットにコピーするようにした無線通信機が知られている（例えば、特許公報１参照）。
【０００３】
【特許文献１】特開2007−194678号公報（第３頁−第４頁、図３）
【発明の開示】
【発明が解決しようとする課題】
【０００４】
しかしながら、上述した特許文献１は、ユニットの交換についての技術を開示するが、コントローラユニットの交換について記載していない。従って、この従来技術では、コントローラユニットが各ユニットを制御することにより送受信を制御しているため、コントローラユニットを交換する時には無線通信器の運用が停止してしまうと思われる。
【０００５】
即ち、コントロールユニット自体の交換時に回線状態を保護する機能がないという第１の問題点がある。マイク等の音声信号などの入力信号はコントロールユニットを経由して送信ユニットに入力され無線信号として送信されているが、コントロールユニットの交換時には入力がない状態で送信ユニットが送信制御を行うことになり、その場合には保護機能がないので予期せぬ制御を行う可能性があるからである。
【０００６】
また、コントロールユニット自体の故障交換の場合に交換後の回線状態を保証できないという第２の問題点もある。その理由は、調整データの入ったＲＯＭも交換されたときに、コントロールユニットからの調整データを自動で復元する手段がないからであり、この結果、交換パネル以外にＰＣや調整機器を持って保守員が現場まで出向き、再度調整が必要もしくはデータを再度コントロールユニットに書き込む手順が必要になる。
【０００７】
そこで、本発明の第１の目的は、ユニットを制御するコントロールユニット等の制御ユニットを交換する時にも運用中の回線への影響を最小限にとどめる無線通信装置およびユニット交換方法を提供することにある。
【０００８】
また、本発明の第２の目的は、制御ユニット交換後の回線状態を保証する無線通信装置およびユニット交換方法を提供することにある。
【課題を解決するための手段】
【０００９】
請求項１に記載の無線通信装置は、交換可能なユニットで構成される無線通信装置において、無線信号の送受信制御を実行する送受信ユニットを制御する制御ユニットを交換するときは、前記各送受信ユニットは現状の設定および調整を維持して通信を行なうことを特徴とする。
【００１０】
請求項２に記載の無線通信装置は、送受信ユニットは、制御データおよび調整データを保存する不揮発性メモリと、制御ユニットが交換中であることを示す信号を保持する信号ラッチ部を備え、制御ユニットを交換中は、不揮発性メモリへの書込みが禁止されることを特徴とする。
【００１１】
請求項３に記載の無線通信装置は、制御ユニットは、外部装置と送受信ユニットの間にあってデジタル信号を処理する信号処理ユニットと、送受信ユニットおよび信号処理ユニットへの設定制御および運用状態を監視するコントロールユニットとで構成され、制御データおよび調整データを保存する不揮発性メモリと、コントロールユニットが交換中であることを示す信号を保持する信号ラッチ部を備え、コントロールユニットを交換中は、不揮発性メモリへの書込みが禁止されることを特徴とする。
【００１２】
請求項４に記載の無線通信装置は、コントロールユニットは動作プロテクトスイッチを備え、信号処理ユニットまたは該コントロールユニットを交換するときは、動作プロテクトスイッチをOFFからONに切り替えることにより信号ラッチ部をONにセットすることを特徴とする。
【００１３】
請求項５に記載の無線通信装置は、コントロールユニットは送受信ユニットおよび信号処理ユニットから収集した制御データおよび調整データを格納しておき、必要に応じて不揮発性メモリへ書き込むための着脱可能な不揮発性メモリを備えたことを特徴とする。
【００１４】
請求項６に記載の無線通信装置は、交換可能なユニットで構成される無線通信装置において、不揮発性メモリに保存した制御データおよび調整データにより無線信号の送受信制御を実行する少なくとも１つの送受信ユニットと、外部装置と送受信ユニットの間にあって不揮発性メモリに保存した制御データおよび調整データによりデジタル信号を処理する信号処理ユニットと、動作プロテクトスイッチを備え送受信ユニットおよび信号処理ユニットへの設定制御および運用状態を監視するコントロールユニットを有し、送受信ユニットは信号処理ユニットまたは前記コントロールユニットを、信号処理ユニットはコントロールユニットを、それぞれ交換するときは動作プロテクトスイッチの操作により交換中であることを示す信号が信号ラッチ部に設定されて不揮発性メモリへの書込みが禁止されることを特徴とする。
【００１５】
請求項７に記載の無線通信装置は、不揮発性メモリおよび着脱可能な不揮発性メモリの保存内容を一括管理する着脱可能な不揮発性メモリを前記ユニットの外に設けたことを特徴とする。
【００１６】
請求項８に記載のユニット交換方法は、請求項６に記載の無線通信装置におけるユニット交換方法であって、信号処理ユニットを交換するときは、動作プロテクトスイッチをONにして送受信ユニットの信号ラッチ部にON状態であることを保持する手順と、信号ラッチ部がON状態であるときは信号処理ユニットの不揮発性メモリへの書込みが禁止される手順と、不揮発性メモリが保存している制御データおよび調整データを着脱可能な不揮発性メモリに保存する手順と、信号処理ユニットの交換後に着脱可能な不揮発性メモリに保存している制御データおよび調整データを該信号処理ユニットの不揮発性メモリに書き込む手順と、動作プロテクトスイッチをOFFにして送受信ユニットの信号ラッチ部にOFF状態であることを保持する手順を有することを特徴とする。
【００１７】
請求項９に記載のユニット交換方法は、請求項６に記載の無線通信装置におけるユニット交換方法であって、コントロールユニットを交換するときは、動作プロテクトスイッチをONにして信号ラッチ部にON状態であることを保持する手順と、信号ラッチ部がON状態であるときは不揮発性メモリへの書込みが禁止される手順と、不揮発性メモリが保存している制御データおよび調整データを着脱可能な不揮発性メモリに保存する手順と、コントロールユニットの交換後に着脱可能な不揮発性メモリに保存している制御データおよび調整データを不揮発性メモリに書き込む手順と、動作プロテクトスイッチをOFFにして信号ラッチ部にOFF状態であることを保持する手順を有することを特徴とする。
【００１８】
［作用］
本発明においては、制御ユニットを交換するときには動作プロテクトスイッチをONの状態にすることにより、送受信ユニットは自身の不揮発性メモリから調整データを読み出すのみとし、不揮発性メモリへの書込みは禁止して回線を調整する機能を停止して現状を維持し、回線に影響がないようにする。これは、例えば故障したユニットを抜いて交換するときには、ユニット間でやり取りしている信号がなくなり故障していないユニットで行う処理に問題が発生し信号断になる可能性があるからである。
【００１９】
また、動作プロテクトスイッチの状態をユニットに保持しておくことでユニット交換の有無が確認可能となり、無線通信装置を起動するときにユニット交換による起動処理なのかそれ以外の電源投入などによる起動処理なのかを判別して、ユニット交換による起動処理の場合にはユニット交換前と同じ状態に復元してから制御を再開することで回線に影響のない交換を可能とする。
【００２０】
また、コントロールユニットを交換する時には、上述の２つの記述において送受信ユニットを信号処理ユニットと読み替えればよい。また、この場合には、着脱可能な不揮発性メモリを新しいコントロールユニットに実装することにより、古いコントロールユニットにおけると同じ制御データおよび調整データを引き継ぐことができる。
【発明の効果】
【００２１】
本発明の第１の効果は、制御ユニットを交換する時にも運用中の回線への影響を最小限に留めることができるということである。その理由は、交換時の制御データおよび調整データをコントロールし、またスイッチを使って交換実施中であることを確実に通知することで交換時の信号の影響を少なくするからである。
【００２２】
本発明の第２の効果は、制御ユニット交換後の回線状態を保証し、現地保守における作業時間の削減と回線の運用状態への復帰を短縮することが可能になるということである。その理由は、交換時には調整したデータを保存しておき、交換後の調整がなくなることで、直ぐに回線を復旧できるためである。
【発明を実施するための最良の形態】
【００２３】
［構成の説明］
次に、本発明の実施の形態について図面を参照して詳細に説明する。図１を参照すると、本発明の一実施の形態としての無線通信装置の構成が示されている。
【００２４】
図１において、無線通信装置１は、無線信号の送受信制御を実行する２つの送受信ユニット９と、電話交換機等外部装置と送受信ユニット９の間にあってデジタル信号を処理する信号処理ユニット６と、送受信ユニット９および信号処理ユニット６への設定制御および運用状態を監視するコントロールユニット７から構成されている。
【００２５】
送受信ユニット９は故障時の回線断を考慮して現用/予備系の冗長構成を採用するため、１つの無線通信装置当たり２ユニットが実装される。各送受信ユニット９は、無線信号を制御・処理する無線送受信処理部４と、パネルの制御データおよび調整データ（以下、「制御・調整データ」と記す）を保存する不揮発性メモリ２と、信号ラッチ部１０を有し、変復調および誤り訂正処理などの無線制御とアナログ信号処理を行う。
【００２６】
信号処理ユニット６は、信号のスピード変換や載せ代えを実施するデジタル信号処理部５とパネルの制御・調整データを保存する不揮発性メモリ２と、信号ラッチ部１０を有し、外部装置と送受信ユニット９との間でインタフェースを行う。
【００２７】
コントロールユニット７は、送受信ユニット９および信号処理ユニット６への設定制御を行うＣＰＵ３と、送受信ユニット９および信号処理ユニット６から収集した制御・調整データを格納しておくための着脱可能な不揮発性メモリ１３と、コントロールユニット７の交換時に送受信ユニット９および信号処理ユニット６へプロテクト信号を通知するための動作プロテクトスイッチ８と、当該無線通信装置１の状態を作業者に通知するためのＬＥＤ１４を有している。
【００２８】
送受信ユニット９および信号処理ユニット６は、コントロールユニット７とデータ制御線１２で接続され、制御・調整データの送受を行うことができる。動作プロテクトスイッチ８は送受信ユニット９および信号処理ユニット６に備え付けられた信号ラッチ部１０に接続され、プロテクト信号のON/OFF状態をＣＰＵ３経由で無線送受信処理部４とデジタル信号処理部５に通知する。また、プロテクト信号のON/OFF状態は信号ラッチ部１０に保持され、更に信号ラッチ部１０からＣＰＵ３へ戻されて送受信ユニット９および信号処理ユニット６の現状のプロテクト情報を表示する。
【００２９】
［動作の説明］
図１に示す各ユニットに制御・調整データを保存する処理の流れを図２に示す。信号処理ユニット６と送受信ユニット９の不揮発性メモリ２には、生産時に基本となる制御・調整データが書き込まれ、コントロールユニット７と組み合わされて無線通信装置１として出荷される。
【００３０】
出荷された無線通信装置１は、運用現地で電源をONして起動した際に、送受信ユニット９および信号処理ユニット６にROMデータ要求を出力する。そして、不揮発性メモリ２に書き込まれているROMデータ（制御・調整データ）をデータ制御線１２経由で受信すると、着脱可能な不揮発性メモリ１３に保存する。このとき動作プロテクトスイッチ８はOFF状態を示し、初期立ち上げであることを送受信ユニット９および信号処理ユニット６に通知する。
【００３１】
動作プロテクトスイッチ８がOFF状態であることは信号ラッチ部１０に保持される。これにより、送受信ユニット９および信号処理ユニット６は不揮発性メモリ２を自由に読み書きし、無線通装置１は運用に供される。
【００３２】
また、運用中に現地にて微調整が必要な場合、作業者はコントロールユニット７から調整を行う。調整方法は、着脱可能な不揮発性メモリ１３に保存された制御・調整データを書き換えてデータ制御線１２を通じて送受信ユニット９および信号処理ユニット６に送信する。送受信ユニット９および信号処理ユニット６は送信されてきた制御・調整データを元に処理を行うと同時に、不揮発性メモリ２に上書きする。
【００３３】
作業者は、調整結果が満足する結果であれば調整が終了したことをコントロールユニット７に通知し、コントロールユニット７は再び送受信ユニット９および信号処理ユニット６から制御・調整データをデータ制御線１２経由で受信して、着脱可能な不揮発性メモリ１３の内容と受信した各ユニットからのデータが同じであることを確認して終了する。また、調整結果に満足しない場合は、再び調整を実施して満足する結果になるまで上記の作業を繰り返す。
【００３４】
次に、信号処理ユニット６の交換方法について図３を参照しながら説明する。信号処理ユニット６の交換中は回線断が発生してしまうが、なるべくその影響を少なくするようにしたいために、先ず交換前に動作プロテクトスイッチ８をON状態することで、送受信ユニット９および信号処理ユニット６に信号処理ユニット６が交換中であることを通知する。各信号ラッチ部１０は動作プロテクトスイッチ８がON状態であることを保持する。
【００３５】
送受信ユニット９内の無線送受信処理部４はプロテクトスイッチ信号がON状態であることを認識した時点で不揮発性メモリ２への書込みを禁止し、無線信号の処理・制御も現状から変更せずに維持する。また、信号ラッチ部１０によりプロテクトスイッチ信号がON状態であることは、そのままコントロールユニット７のＣＰＵ３部へ通知される。
【００３６】
信号処理ユニット６内のデジタル信号処理部５もプロテクトスイッチ信号がON状態であることを認識した時点で不揮発性メモリ２への書込みを禁止し、信号の処理・制御も現状の状態を維持する。また、信号ラッチ部１０によりプロテクトスイッチ信号がON状態であることはそのままコントロールユニット７のＣＰＵ３へ通知される。
【００３７】
ＣＰＵ３は無線送受信処理部４およびデジタル信号処理部５から戻ってきたプロテクトスイッチ信号がON状態であることを確認したのち、ROMデータ要求によりデータ制御線１２から現状の設定および不揮発性メモリ２内の制御・調整データを全て読み出して着脱可能な不揮発性メモリ１３に保存しておく。以上の全てが終了したことを、例えばＬＥＤ１４の点滅等で確認したならば作業者は信号処理ユニット６を交換する。
【００３８】
無線通信装置１に装着する新しい信号処理ユニット６は交換用であり、製造時に調整を実施せずに作業者が現地まで運搬することを基本とする。交換後、新ユニットが交換されたことを検知したコントロールユニット７は信号処理ユニット６に着脱可能な不揮発性メモリ１３に保存している調整データを不揮発性メモリ２に書き込むように指示をすると共にデータを送信する。
【００３９】
信号処理ユニット６は受信したデータを不揮発性メモリ２に書き込み、初期化・再調整を終了する。このとき書き込みが終了したことをコントロールユニット７に通知する。コントロールユニット７はＬＥＤ１４を点灯/点滅などの制御を行うことで、作業者に交換作業が終了したことを知らせる。作業者は処理の終了を確認したならば動作プロテクトスイッチ８をOFFして各ユニットを通常動作に戻し、交換作業が終了する。
【００４０】
以上の交換時には、入力がない状態で送受信ユニット９において送受信制御を行うことになるが、送受信ユニット９では不揮発性メモリ２の書込みを行なわず、読み出すのみで送受信制御を行うため、入力を伴わない送受信制御の結果が不揮発性メモリ２の内容に反映されることはなく、無線通装置１は現状維持の通信を継続できる。
【００４１】
なお、この交換手順は、送受信ユニット９を交換する場合も同様である。だたし、送受信ユニット９は現用と予備の２系統があるので交換側を予備系に切り替えることで信号断がないままに交換可能となる。
【００４２】
次に、コントロールユニット７の交換方法を示す。コントロールユニット７は信号処理ユニット６の設定制御および運用状態を監視するものであるから、図３と図４の対比から明らかのように、基本的には信号処理ユニット６の交換方法と同じである。動作プロテクトスイッチ８をONすることから始まり、送受信ユニット９および信号処理ユニット６の動作を現状維持としてからコントロールユニット７の交換を行う。
【００４３】
但し、交換時には、古いコントロールユニット７から着脱可能な不揮発性メモリ１３を着脱し、新しいコントロールユニット７に装着する。これにより、交換前まで送受信ユニット９、信号処理ユニット６およびコントロールユニット７自体が使用してきた制御・調整データをそのまま引き継ぐことが可能となる。
【００４４】
更に、新しいコントロールユニット７を装着する際に、その動作プロテクトスイッチ８をONの状態で行なうことで、送受信ユニット９および信号処理ユニット６へのプロテクト指示は交換前のままである。コントロールユニット７は、起動時に動作プロテクトスイッチ８がONであり、かつ送受信ユニット９および信号処理ユニット６からスイッチ応答情報もプロテクトONであることを確認して、プロテクト状態で起動したことを認識する。
【００４５】
コントロールユニット７は送受信ユニット９および信号処理ユニット６と着脱可能な不揮発性メモリ１３に書き込まれているデータの比較を実施して、差分がない場合に交換終了としてＬＥＤ１４を点灯/点滅して作業者に知らせる。これにより作業者は動作プロテクトスイッチ８をOFFして作業は全て終了となる。比較して差分があった場合は、作業者はデータを確認してどのようにするか手順書に則って処理を行う。
【００４６】
このように、上記実施例では、スイッチ情報による交換時の回線制御の抑制と、制御・調整データの比較による抑制直前の状態の保存と確認をしているので、交換前の状態で制御が開始され、その結果、交換前の回線状態を保持できる。
【００４７】
更には、本実施例では、動作プロテクトスイッチ８とＬＥＤ１４が設けられているので、作業者は確実かつ簡単に作業をすることができる。
【００４８】
［発明の他の実施の形態］
本発明の他の実施例として、その基本的構成は上記の通りであるが、着脱可能な不揮発性メモリ１３について更に工夫した構成を図５に示す。
【００４９】
図５を参照すると分かるように、この実施例では、図１においてコントロールユニット７内に装備していた着脱可能な不揮発性メモリ１３を外へ取り出して、データバス・データ制御線１５により全ユニットに接続された着脱可能な不揮発性メモリ１５としている。そして、この不揮発性メモリ１５に、図１では送受信ユニット９および信号処理ユニット６に搭載していた不揮発性メモリ２の役割をも担わせている。即ち、動作プロテクトスイッチ８からのプロテクト信号で、着脱可能な不揮発性メモリ１５を書込み禁止にすることで、プロテクト動作を実施して、回線になるべく影響のないユニット交換を実現できる。
【００５０】
この実施例では、制御データおよび調整データを着脱可能な不揮発性メモリ１５一括で集中管理しているので、交換後のコントロールユニット７と他ユニットのデータのROMデータ要求/送信のような手順が省かれて交換時間の短縮が見込まれる。
【００５１】
また、着脱可能な不揮発性メモリ１５をカード式のものにしておき、スロットなどで簡単に抜き差しできるようにすれば、データの保存やデータのバックアップも容易に実現可能となり、さらに着脱可能な不揮発性メモリ１５自体が故障して交換される場合でも簡単に実施可能となる。よって、本実施例では、先の実施例と同様に交換時の回線保持を行うが、その交換時間の短縮と保守の容易性を実現している。
【産業上の利用可能性】
【００５２】
本発明は、無線基地局や無線回線装置など回線品質を守るために調整が必要で、かつ保守を考えた機能ブロックに分割されていて、人によって交換が可能なユニットで構成された無線通信機を使用した無線システム全般に利用可能である。
【図面の簡単な説明】
【００５３】
【図１】本発明の無線通信装置の一実施例を示すブロック図
【図２】初期電源投入時において各ユニットに調整データ/処理値を保存する処理の流れ図
【図３】信号処理ユニットの交換処理の流れ図
【図４】コントロールユニットの交換処理の流れ図
【図５】本発明の無線通信装置の他の実施例を示すブロック図
【符号の説明】
【００５４】
１    無線通信装置
２    不揮発性メモリ
３    ＣＰＵ
４    無線送受信処理部
５    デジタル信号処理部
６    信号処理ユニット
７    コントロールユニット
８    動作プロテクトスイッチ
９    送受信ユニット
１０  信号ラッチ部
１１  データバス線
１２  データ制御線
１３  着脱可能な不揮発性メモリ
１４  ＬＥＤ
１５  データバス・データ制御線
【図１】
2010130420.tif 000003
【図２】
2010130420.tif 000004
【図３】
2010130420.tif 000005
【図４】
2010130420.tif 000006
【図５】
2010130420.tif 000007